(57)【要約】      （修正有）【課題】少なくともスピーカ出力およびＡＵＸ出力の２系統の出力を備えつつ、製造コストを削減することが可能となる電子楽器を提供する。【解決手段】イコライザ部設定処理では、ヘッドフォンプラグが挿入されているときには、ヘッドフォン出力用のパラメータをイコライザ部１３ｂ１に書き込む一方、ヘッドフォンプラグが挿入されていないときには、スピーカ出力用のパラメータをイコライザ部１３ｂ１に書き込む。音量制御部設定処理では、選択されたＡＵＸモードがFIX(PRE)モードのときには、音量制御部１３ｂ２がその入力された楽音信号の音量レベルを固定値に制御するためのパラメータ値を音量制御部１３ｂ２に書き込む一方、選択されたＡＵＸモードがVARI(POST)モードのときには、音量制御部１３ｂ２がその入力された楽音信号の音量レベルを、ボリューム１４ｃの操作位置に応じた値に制御するためのパラメータ値を音量制御部１３ｂ２に書き込む。【選択図】図２
2006267495.tif 000002
【特許請求の範囲】
【請求項１】
デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、
該デジタル信号処理手段の前記第１の出力部から出力されたデジタル楽音信号をアナログ楽音信号に変換する第１のＤ／Ａ変換器と、
該第１のＤ／Ａ変換器からのアナログ楽音信号の音量を制御するアナログ音量制御回路であって、音量レベルを可変する操作子を備えたものと、
前記デジタル信号処理手段の前記第２の出力部から出力されたデジタル楽音信号をアナログ楽音信号に変換する第２のＤ／Ａ変換器と、
前記操作子によって設定された音量レベルに拘わらず、所定の音量値を前記デジタル信号処理手段の前記音量制御部に設定する設定手段と
を有することを特徴とする電子楽器。
【請求項２】
デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、
該デジタル信号処理手段の前記第１の出力部から出力されたデジタル楽音信号をアナログ楽音信号に変換する第１のＤ／Ａ変換器と、
該第１のＤ／Ａ変換器からのアナログ楽音信号の音量を制御するアナログ音量制御回路であって、音量レベルを可変する操作子を備えたものと、
前記デジタル信号処理手段の前記第２の出力部から出力されたデジタル楽音信号をアナログ楽音信号に変換する第２のＤ／Ａ変換器と、
第１のモードと第２のモードのいずれかを選択する選択手段と、
該選択手段によって第１のモードが選択されたときには、前記操作子によって設定された音量レベルに応じた音量値を前記デジタル信号処理手段の前記音量制御部に設定する一方、前記選択手段によって第２のモードが選択されたときには、前記操作子によって設定された音量レベルに拘わらず、所定の音量値を前記デジタル信号処理手段の前記音量制御部に設定する設定手段と
を有することを特徴とする電子楽器。
【請求項３】
デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、
該デジタル信号処理手段の前記第１の出力部から出力されたデジタル楽音信号をアナログ楽音信号に変換する第１のＤ／Ａ変換器と、
該第１のＤ／Ａ変換器からのアナログ楽音信号の音量を制御するアナログ音量制御回路であって、音量レベルを可変する操作子を備えたものと、
該アナログ音量制御回路によって音量制御されたアナログ楽音信号を主出力として出力する主出力端子と、
前記アナログ音量制御回路によって音量制御されたアナログ楽音信号をヘッドフォン出力として出力するヘッドフォン出力端子と、
該ヘッドフォン出力端子にヘッドフォンの信号入力端子が挿入されているか否かを検出する検出手段と、
該検出手段によって、前記ヘッドフォン出力端子にヘッドフォンの信号入力端子が挿入されていることが検出されたときに、所定のパラメータを前記デジタル信号処理手段のイコライザ部に設定するパラメータ設定手段と、
前記デジタル信号処理手段の前記第２の出力部から出力されたデジタル楽音信号をアナログ楽音信号に変換する第２のＤ／Ａ変換器と、
第１のモードと第２のモードのいずれかを選択する選択手段と、
該選択手段によって第１のモードが選択されたときには、前記操作子によって設定された音量レベルに応じた音量値を前記デジタル信号処理手段の前記音量制御部に設定する一方、前記選択手段によって第２のモードが選択されたときには、前記操作子によって設定された音量レベルに拘わらず、所定の音量値を前記デジタル信号処理手段の前記音量制御部に設定する音量値設定手段と
を有することを特徴とする電子楽器。
【発明の詳細な説明】
【技術分野】
【０００１】
本発明は、少なくともスピーカ出力およびＡＵＸ（auxiliary）出力の２系統の出力を備えた電子楽器に関する。
【背景技術】
【０００２】
スピーカ出力、ヘッドフォン出力およびＡＵＸ（auxiliary）出力の３系統の出力を備えた電子楽器は、従来から知られている。
【０００３】
図４は、このような従来の電子楽器の一部構成、具体的には、デジタル信号処理回路１３′およびサウンドシステム１４′を示すブロック図である。
【０００４】
同図に示すように、デジタル信号処理回路１３′内の音源部１３ａが生成したデジタル楽音信号は、サウンドシステム１４′内のＤ／Ａ（Digital-to-Analog）変換器１４ａに入力され、該Ｄ／Ａ変換器１４ａを介して、アナログ楽音信号に変換される。Ｄ／Ａ変換器１４ａから出力されたアナログ楽音信号は、２系統に分岐され、一方の系統の楽音信号は、プリアンプ１４ｂに入力され、他方の系統の楽音信号は、AUX-FIX(PRE)アンプ１４ｋに入力される。
【０００５】
AUX-FIX(PRE)アンプ１４ｋは、入力された楽音信号を所定のゲインで増幅した後、AUX-FIX(PRE)端子１４ｌに出力する。
【０００６】
プリアンプ１４ｂには、ボリューム１４ｃが設けられ、ユーザは、ボリューム１４ｃを用いて、プリアンプ１４ｂのゲインを変更する、すなわち、入力されたアナログ楽音信号の音量レベルを可変制御することができる。
【０００７】
プリアンプ１４ｂからの出力は、３系統に分岐され、１番目の系統の楽音信号は、アナログイコライザ１４ｄに入力され、２番目の系統の楽音信号は、ヘッドフォンアンプ１４ｇに入力され、３番目の系統の楽音信号は、AUX-VARI(POST)アンプ１４ｉに入力される。
【０００８】
アナログイコライザ１４ｄは、入力された楽音信号に対してイコライジングを行い、イコライジングされた楽音信号をパワーアンプ１４ｅに出力する。パワーアンプ１４ｅは、イコライジングされた楽音信号を所定のゲインで増幅した後、スピーカ１４ｆに出力する。
【０００９】
ヘッドフォンアンプ１４ｇは、入力された楽音信号を所定のゲイン（ただし、AUX-FIX(PRE)アンプ１４ｋおよびパワーアンプ１４ｅのいずれのゲインとも異なる）で増幅した後、ヘッドフォン端子１４ｈに出力する。
【００１０】
AUX-VARI(POST)アンプ１４ｉも、入力された楽音信号を所定のゲイン（ただし、AUX-FIX(PRE)アンプ１４ｋ、パワーアンプ１４ｅおよびヘッドフォンアンプ１４ｇのいずれのゲインとも異なる）で増幅した後、AUX-VARI(POST)端子１４ｊに出力する。
【００１１】
また、ヘッドフォンの信号入力端子（ヘッドフォンプラグ）をヘッドフォン端子（ヘッドフォンジャック）に挿入しているか否かを検出するようにし、その検出結果に応じて、デジタル楽音信号に対するデジタル効果のかけ方を変更するようにした電子楽器も知られている（たとえば、特許文献１参照）。
【００１２】
このような２種類の従来の電子楽器を組み合わせることで、高価なアナログイコライザ１４ｄを省略し、デジタル信号処理回路１３′に元々備わっているデジタルイコライザに、アナログイコライザ１４ｄが行うイコライジングを代替させる、具体的には、ヘッドフォンプラグがヘッドフォンジャックに挿入されているときには、デジタルイコライザにヘッドフォン用のパラメータを設定する一方、ヘッドフォンプラグがヘッドフォンジャックに挿入されていないときには、デジタルイコライザにスピーカ用のパラメータ（アナログイコライザ１４ｄが行うイコライジングと同様のイコライジングをデジタルイコライザが行うことが可能なパラメータ）を設定するようにした電子楽器が容易に想到され、実現もされている。
【特許文献１】特開２０００−３５８２９４号公報
【発明の開示】
【発明が解決しようとする課題】
【００１３】
しかし、上記２種類の従来の電子楽器を組み合わせたものでは、楽音信号の出力系統が、スピーカ出力とヘッドフォン出力の２系統のみである場合には、有効であるものの、これに、ＡＵＸの２つの出力系統を加えた場合には、Ｄ／Ａ変換器が、少なくとも、ＡＵＸの２つの出力系統の各系統毎に必要となり、これにより、製造コストが増大してしまう。
【００１４】
本発明は、この点に着目してなされたものであり、少なくともスピーカ出力およびＡＵＸ出力の２系統の出力を備えつつ、製造コストを削減することが可能となる電子楽器を提供することを目的とする。
【課題を解決するための手段】
【００１５】
上記目的を達成するため、請求項１に記載の電子楽器は、デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、該デジタル信号処理手段の前記第１の出力部から出力されたデジタル楽音信号をアナログ楽音信号に変換する第１のＤ／Ａ変換器と、該第１のＤ／Ａ変換器からのアナログ楽音信号の音量を制御するアナログ音量制御回路であって、音量レベルを可変する操作子を備えたものと、前記デジタル信号処理手段の前記第２の出力部から出力されたデジタル楽音信号をアナログ楽音信号に変換する第２のＤ／Ａ変換器と、前記操作子によって設定された音量レベルに拘わらず、所定の音量値を前記デジタル信号処理手段の前記音量制御部に設定する設定手段とを有することを特徴とする。
【００１６】
上記目的を達成するため、請求項２に記載の電子楽器は、デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、該デジタル信号処理手段の前記第１の出力部から出力されたデジタル楽音信号をアナログ楽音信号に変換する第１のＤ／Ａ変換器と、該第１のＤ／Ａ変換器からのアナログ楽音信号の音量を制御するアナログ音量制御回路であって、音量レベルを可変する操作子を備えたものと、前記デジタル信号処理手段の前記第２の出力部から出力されたデジタル楽音信号をアナログ楽音信号に変換する第２のＤ／Ａ変換器と、第１のモードと第２のモードのいずれかを選択する選択手段と、該選択手段によって第１のモードが選択されたときには、前記操作子によって設定された音量レベルに応じた音量値を前記デジタル信号処理手段の前記音量制御部に設定する一方、前記選択手段によって第２のモードが選択されたときには、前記操作子によって設定された音量レベルに拘わらず、所定の音量値を前記デジタル信号処理手段の前記音量制御部に設定する設定手段とを有することを特徴とする。
【００１７】
上記目的を達成するため、請求項３に記載の電子楽器は、デジタル楽音信号を生成し、該生成したデジタル楽音信号を、少なくとも第１および第２の系統のデジタル楽音信号として出力する音源部と、該音源部によって出力された第１の系統のデジタル楽音信号に対してイコライジングを行うイコライザ部と、該イコライザ部によってイコライジングされた第１の系統のデジタル楽音信号を出力する第１の出力部と、前記音源部によって出力された第２の系統のデジタル楽音信号に対して音量制御を行う音量制御部と、該音量制御部によって音量制御された第２の系統のデジタル楽音信号を出力する第２の出力部とを備えたデジタル信号処理手段と、該デジタル信号処理手段の前記第１の出力部から出力されたデジタル楽音信号をアナログ楽音信号に変換する第１のＤ／Ａ変換器と、該第１のＤ／Ａ変換器からのアナログ楽音信号の音量を制御するアナログ音量制御回路であって、音量レベルを可変する操作子を備えたものと、該アナログ音量制御回路によって音量制御されたアナログ楽音信号を主出力として出力する主出力端子と、前記アナログ音量制御回路によって音量制御されたアナログ楽音信号をヘッドフォン出力として出力するヘッドフォン出力端子と、該ヘッドフォン出力端子にヘッドフォンの信号入力端子が挿入されているか否かを検出する検出手段と、該検出手段によって、前記ヘッドフォン出力端子にヘッドフォンの信号入力端子が挿入されていることが検出されたときに、所定のパラメータを前記デジタル信号処理手段のイコライザ部に設定するパラメータ設定手段と、前記デジタル信号処理手段の前記第２の出力部から出力されたデジタル楽音信号をアナログ楽音信号に変換する第２のＤ／Ａ変換器と、第１のモードと第２のモードのいずれかを選択する選択手段と、該選択手段によって第１のモードが選択されたときには、前記操作子によって設定された音量レベルに応じた音量値を前記デジタル信号処理手段の前記音量制御部に設定する一方、前記選択手段によって第２のモードが選択されたときには、前記操作子によって設定された音量レベルに拘わらず、所定の音量値を前記デジタル信号処理手段の前記音量制御部に設定する音量値設定手段とを有することを特徴とする。
【発明の効果】
【００１８】
請求項１に記載の発明によれば、デジタル信号処理手段内で、出力する楽音信号に対してイコライジングを行うようにし、アナログイコライザを削除したので、製造コストを低減させることができる。また、イコライザをデジタル化したので、ユーザの設定に応じて、そのイコライジング特性を簡単に変更することができる。
【００１９】
請求項２に記載の発明によれば、デジタル信号処理手段内で、出力する楽音信号に対してイコライジングを行うようにし、アナログイコライザを削除したので、製造コストを低減させることができる。また、第１のモードと第２のモードのいずれかを選択できるようにし、第１のモードが選択されたときには、操作子によって設定された音量レベルに応じた音量値を前記デジタル信号処理手段の音量制御部に設定する一方、第２のモードが選択されたときには、前記操作子によって設定された音量レベルに拘わらず、所定の音量値を前記デジタル信号処理手段の音量制御部に設定するようにして、前記従来の２つのＡＵＸ端子を１つのＡＵＸ端子で置き換え、従来の２つのＡＵＸ端子から出力されていた楽音信号のいずれかを選択して、１つのＡＵＸ端子から出力できるようにしたので、Ｄ／Ａ変換器の追加は１つだけで良くなり、これにより、製造コストを抑制することができる。また、イコライザをデジタル化したので、ユーザの設定に応じて、そのイコライジング特性を簡単に変更することができる。
【００２０】
請求項３に記載の発明によれば、請求項２に記載の発明が奏する上記効果に加え、ヘッドフォン出力端子にヘッドフォンの信号入力端子が挿入されているときには、ヘッドフォン出力端子からヘッドフォン用の楽音信号を出力することができる。
【発明を実施するための最良の形態】
【００２１】
以下、本発明の実施の形態を図面に基づいて詳細に説明する。
【００２２】
図１は、本発明の一実施の形態に係る電子楽器の概略構成を示すブロック図である。
【００２３】
同図に示すように、本実施の形態の電子楽器は、音高情報を入力するための鍵盤を含む演奏操作子１と、図示しない操作パネル上に設けられ、各種情報を入力するための複数のスイッチやテンキーを含むパネル操作子２と、演奏操作子１の操作状態を検出する検出回路３と、パネル操作子２の操作状態を検出する検出回路４と、装置全体の制御を司るＣＰＵ５と、該ＣＰＵ５が実行する制御プログラムや、各種テーブルデータ等を記憶するＲＯＭ６と、演奏データ、各種入力情報および演算結果等を一時的に記憶するＲＡＭ７と、タイマ割込み処理における割込み時間や各種時間を計時するタイマ８と、各種情報等を表示する、たとえば液晶ディスプレイ（ＬＣＤ）若しくはＣＲＴ（Cathode Ray Tube）ディスプレイおよび発光ダイオード（ＬＥＤ）等を備えた表示装置９と、前記制御プログラムを含む各種アプリケーションプログラムや各種楽曲データ、各種データ等を記憶する外部記憶装置１０と、外部からのＭＩＤＩ（Musical Instrument Digital Interface）メッセージを入力したり、ＭＩＤＩメッセージを外部に出力したりするＭＩＤＩインターフェース（Ｉ／Ｆ）１１と、通信ネットワーク１０１を介して、たとえばサーバコンピュータ（以下、「サーバ」と略して言う）１０２とデータの送受信を行う通信インターフェース（Ｉ／Ｆ）１２と、演奏操作子１から入力された演奏データや予め設定された演奏データ等を楽音信号に変換し、この楽音信号に各種効果を付与するデジタル信号処理回路１３と、該デジタル信号処理回路１３からの楽音信号を音響に変換する、たとえば、Ｄ／Ａ変換器やアンプ、スピーカ等のサウンドシステム１４とにより構成されている。
【００２４】
上記構成要素３〜１３は、バス１５を介して相互に接続され、ＣＰＵ５にはタイマ８およびサウンドシステム１４が接続され、ＭＩＤＩＩ／Ｆ１１には他のＭＩＤＩ機器１００が接続され、通信Ｉ／Ｆ１２には通信ネットワーク１０１が接続され、音源回路１３にはサウンドシステム１４が接続されている。ここで、通信Ｉ／Ｆ１２および通信ネットワーク１０１は、有線方式のものに限らず、無線方式のものであってもよい。また、両方式のものを備えていてもよい。
【００２５】
ＣＰＵ５は、Ａ／Ｄ（Analog-to-Digital）変換器（図示せず）を内蔵し、図２を用いて後述するように、このＡ／Ｄ変換器から入力されたデジタル値に基づいて、サウンドシステム１４内のボリューム１４ｃの操作位置を検出する。
【００２６】
外部記憶装置１０としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置１０には、前述のように、ＣＰＵ５が実行する制御プログラムも記憶でき、ＲＯＭ６に制御プログラムが記憶されていない場合には、この外部記憶装置１０に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等が容易に行える。
【００２７】
ＭＩＤＩＩ／Ｆ１１は、専用のものに限らず、ＲＳ−２３２ＣやＵＳＢ（ユニバーサル・シリアル・バス）、ＩＥＥＥ１３９４（アイトリプルイー１３９４）等の汎用のインターフェースにより構成してもよい。この場合、ＭＩＤＩメッセージ以外のデータをも同時に送受信してもよい。
【００２８】
通信Ｉ／Ｆ１２は、上述のように、たとえばＬＡＮ（Local Area Network）やインターネット、電話回線等の通信ネットワーク１０１に接続されており、該通信ネットワーク１０１を介して、サーバ１０２に接続される。外部記憶装置１０に上記各プログラムや各種パラメータが記憶されていない場合には、通信Ｉ／Ｆ１２は、サーバ１０２からプログラムやパラメータをダウンロードするために用いられる。クライアントとなる電子楽器は、通信Ｉ／Ｆ１２および通信ネットワーク１０１を介してサーバ１０２へとプログラムやパラメータのダウンロードを要求するコマンドを送信する。サーバ１０２は、このコマンドを受け、要求されたプログラムやパラメータを、通信ネットワーク１０１を介して電子楽器へと配信し、電子楽器が通信Ｉ／Ｆ１２を介して、これらプログラムやパラメータを受信して外部記憶装置１０に蓄積することにより、ダウンロードが完了する。
【００２９】
デジタル信号処理回路１３は、本実施の形態では、いわゆる音源ＬＳＩ（Large Scale Integrated Circuit）によって構成されており、音源機能のみならず、音響効果を付与する機能やイコライザ機能、音量調整機能などを備えている。もちろん、音源ＬＳＩに限られるわけではなく、ＤＳＰ（Digital Signal Processor）などの汎用プロセッサによって構成してもよいし、複数のＬＳＩによって構成してもよい。
【００３０】
なお、本実施の形態の電子楽器は、鍵盤楽器の形態を採っているが、これに限らず、弦楽器タイプ、管楽器タイプ、打楽器タイプ等の形態でもよい。
【００３１】
図２は、図１の電子楽器に含まれるデジタル信号処理回路１３およびサウンドシステム１４の詳細な構成を示すブロック図であり、図２中、前記図４と同様の構成には、同一符号が付されている。なお、図２は、本実施の形態の電子楽器が実行する制御処理を説明するための図としての機能も果たしているので、図２には、この制御処理の説明に必要な構成、すなわち検出回路４、ＣＰＵ５、ＲＯＭ６およびＲＡＭ７も記載されている。また、図２中、太い波線は、ソフトウェアによる処理の様子を示している。
【００３２】
図２のデジタル信号処理回路１３およびサウンドシステム１４は、前記図４の従来のデジタル信号処理回路１３′およびサウンドシステム１４′に対して、次の点が異なっている。すなわち、
（１）図４の従来のアナログイコライザ１４ｄを削除して、該アナログイコライザ１４ｄの機能をデジタル信号処理回路１３内のイコライザ部１３ｂ１で代用した点
（２）図４の従来の２つのＡＵＸ端子、すなわちAUX-VARI(POST)端子１４ｊおよびAUX-FIX(PRE)端子１４ｌを１つのＡＵＸ端子１４ｏで置き換え、AUX-VARI(POST)端子１４ｊまたはAUX-FIX(PRE)端子１４ｌから出力されていた楽音信号のいずれかを選択して、ＡＵＸ端子１４ｏから出力できるようにした点
（３）上記（１）の相違点により、ヘッドフォンの信号入力端子（ヘッドフォンプラグ）がヘッドフォン端子（ヘッドフォンジャック）に挿入されているか否かを検出するようにした点
（４）上記（２）の相違点により、ＡＵＸ端子１４ｏから出力されるデジタル楽音信号の系統に、その音量レベルを制御する音量制御部１３ｂ２を設け、さらに、音量制御部１３ｂ２からのデジタル楽音信号をアナログ楽音信号に変換するＤ／Ａ変換器１４ｍを設けた点
（５）上記（２）の相違点により、ボリューム１４ｃの操作位置を検出するようにした点
である。
【００３３】
図２に示すように、デジタル信号処理回路１３は、少なくとも２系統の出力を備え、一方の出力は、ヘッドフォン端子１４ｈ用の出力であり、もう一方は、ＡＵＸ端子１４ｏ用の出力である。そして、各系統で、それぞれＤ／Ａ変換器１４ａおよび１４ｍを備えている。なお、各系統の楽音信号は、本実施の形態では、それぞれステレオの楽音信号を想定しているが、これに限らず、モノラルの楽音信号であってもよい。
【００３４】
また、さらに別系統の出力を備えるようにしてもよい。別系統の出力の例としては、残響などの音響効果を付与した楽音信号に基づいた楽音を別スピーカから発生させるための出力を挙げることができる。
【００３５】
ボリューム１４ｃは、たとえば１つの軸上に固定された複数の操作子によって構成され、ユーザがその軸を回転させると、その回転に従って、複数の操作子が連動する。そして、これら複数の操作子のうちの１つを、ボリューム位置検出用操作子として使用する。たとえば、このボリューム位置検出用操作子に連動して抵抗値が変化する可変抵抗を設けておき、その可変抵抗の両端電圧を、前記ＣＰＵ５に内蔵されたＡ／Ｄ変換器で変換し、変換後のデジタル値をＣＰＵ５によって演算することで、ボリューム１４ｃの操作位置を検出することができる。なお、Ａ／Ｄ変換器は、ＣＰＵ５に内蔵されたものに限らず、ＣＰＵ５から独立していて、前記バス１５に接続されたものであってもよい。
【００３６】
ヘッドフォン端子１４ｈには、ヘッドフォンの信号入力端子（ヘッドフォンプラグ）が挿入されたか否かを検出するセンサが設けられている。このセンサは、どのような検出方式のものを採用してもよい。たとえば、機械接点方式、光学的方式および電気的方式などが考えられる。機械接点方式のセンサを採用した場合、ヘッドフォンプラグがヘッドフォン端子（ヘッドフォンジャック）１４ｈに挿入／離脱に従って、接点がＯＮ／ＯＦＦされ、その接点のＯＮ／ＯＦＦ状態を、たとえば前記検出回路４を介して、ＣＰＵ５が読み取るようにすればよい。なお、検出回路４に接点のＯＮ／ＯＦＦ状態を読み取る機能を備えるようにしたのは、本実施の形態では、ヘッドフォン端子１４ｈは、前記パネル上またはその近傍に設けられており、そのヘッドフォン端子１４ｈが設けられた位置から最も近い検出回路４に、その接点のＯＮ／ＯＦＦ状態を検出する機能を備えさせた方が好ましいからである。もちろん、検出回路４とは独立して、その接点のＯＮ／ＯＦＦ状態のみを検出する検出回路を設け、それをバス１５に接続し、ＣＰＵ５がバス１５を介して、検出回路４によって読み取られた接点のＯＮ／ＯＦＦ状態を検出回路４から読み取るようにしてもよい。
【００３７】
以上のように構成された電子楽器が実行する制御処理を、図３を参照して詳細に説明する。
【００３８】
図３は、本実施の形態の電子楽器、特にＣＰＵ５が実行する制御処理の手順を示すフローチャートであり、本制御処理は、前記タイマ８が所定時間を計時する度に周期的に起動される割り込み処理中の一部である。
【００３９】
本制御処理では、次の処理を行う。すなわち、
（ａ）ヘッドフォンジャックにヘッドフォンプラグが挿入されているか否かを検出し、その検出結果に応じたパラメータを前記イコライザ部１３ｂ１に書き込む（設定する）イコライザ部設定処理
（ｂ）前記図４のAUX-VARI(POST)端子１４ｊから出力される楽音信号と同様の楽音信号をＡＵＸ端子１４ｏから出力するモード（以下、「VARI(POST)モード」という）と、前記図４のAUX-FIX(PRE)端子１４ｌから出力される楽音信号と同様の楽音信号をＡＵＸ端子１４ｏから出力するモード（以下、「FIX(PRE)モード」という）のうち、選択されたＡＵＸモードに応じたパラメータを前記音量制御部１３ｂ２に書き込む（設定する）音量制御部設定処理
である。
【００４０】
なお、本実施の形態の電子楽器は、ユーザのパネル操作により、VARI(POST)モードまたはFIX(PRE)モードのいずれかを選択することができるように構成され、選択されたモードは、前記ＲＡＭ７の所定位置に確保された保存領域に保存されるように構成されている。
【００４１】
前記（ａ）のイコライザ部設定処理では、ヘッドフォンジャックにヘッドフォンプラグが挿入されているか否かを検出し（ステップＳ１）、その検出の結果、ヘッドフォンジャックにヘッドフォンプラグが挿入されているときには、ヘッドフォン出力用のパラメータを前記ＲＯＭ６から読み出して（ステップＳ２）、デジタル信号処理回路１３のイコライザ部１３ｂ１に書き込む（ステップＳ４）一方、ヘッドフォンジャックにヘッドフォンプラグが挿入されていないときには、スピーカ出力用のパラメータをＲＯＭ６から読み出して（ステップＳ３）、デジタル信号処理回路１３のイコライザ部１３ｂ１に書き込む（ステップＳ４）。これにより、スピーカ１４ｆへの出力信号の特性と、ヘッドフォン端子１４ｈからの出力信号の特性とを変更する。ここで、ヘッドフォン出力用のパラメータとは、ヘッドフォン端子１４ｈから、その周波数特性がフラットな出力信号を出力するような信号処理をイコライザ部１３ｂ１に行わせるようなパラメータを想定しているが、これは一例に過ぎず、ある種のヘッドフォンに特化したある種の特性の出力信号をヘッドフォン端子１４ｈから出力させるような信号処理をイコライザ部１３ｂ１に行わせるものであってもよい。また、ヘッドフォンジャックにヘッドフォンプラグが挿入されているか否かに応じて、デジタル信号処理回路１３が、その生成したデジタル楽音信号に対して、サラウンドや音像定位などの音響効果のかかり方を制御するようにしてもよい。さらに、スピーカ出力用のパラメータとは、電子楽器の筐体の構造に起因する、スピーカからの放音に対する影響を補正して、その周波数特性がフラットになるような信号処理をイコライザ部１３ｂ１に行わせるようなパラメータを想定している。
【００４２】
なお、イコライザ部１３ｂ１をデジタル化したことにより、従来のアナログイコライザと比較して、様々な特性をより簡単に（目的の特性に応じたパラメータ値を書き込むだけと言うきわめて簡単な方法で）楽音信号に施すことが可能となる。
【００４３】
前記（ｂ）の音量制御部設定処理では、選択されたＡＵＸモードがFIX(PRE)モードのときには、音量制御部１３ｂ２がその入力された楽音信号の音量レベルを固定値（前記ボリューム１４ｃの操作位置に拘わらない固定値）に制御するためのパラメータ値（固定値）を前記ＲＯＭ６から読み出して（ステップＳ６）、デジタル信号処理回路１３の音量制御部１３ｂ２に書き込む（ステップＳ８）一方、選択されたＡＵＸモードがVARI(POST)モードのときには、音量制御部１３ｂ２がその入力された楽音信号の音量レベルを、ボリューム１４ｃの操作位置に応じた値（前記プリアンプ１４ｂの増幅率の増減に対応する値）に制御するためのパラメータ値をＲＯＭ６から読み出して（ステップＳ７）、音量制御部１３ｂ２に書き込む（ステップＳ８）。これにより、スピーカ出力やヘッドフォン出力と同様に、ＡＵＸ出力も、その音量を増減させることができる。
【００４４】
なお、図２中のスイッチは、ＯＮ状態のときが上記VARI(POST)モード時の処理を示し、ＯＦＦ状態のときが上記FIX(PRE)モード時の処理を示している。
【００４５】
なお、本実施の形態では、各種パラメータ値は、ＲＯＭ６から読み出すようにしているが、これに限らず、ＣＰＵ５による演算で生成したものを使用するようにしてもよい。
【００４６】
このように、本実施の形態では、従来のアナログイコライザを削除して、該アナログイコライザの機能をデジタル信号処理回路１３内のイコライザ部１３ｂ１で代用するようにし、イコライザ部１３ｂ１は元々備わっているものであるので、製造コストを削減することができる。
【００４７】
また、従来の２つのＡＵＸ端子を１つのＡＵＸ端子１４ｏで置き換え、従来の２つのＡＵＸ端子から出力されていた楽音信号のいずれかを選択して、ＡＵＸ端子１４ｏから出力できるようにしたので、Ｄ／Ａ変換器の追加は１つだけで良くなり、これにより、製造コストを抑制することができる。
【００４８】
なお、プリアンプ１４ｂでの音量制御も、デジタル信号処理回路１３内に元々存在する音量制御機能で行わせ、プリアンプ１４ｂというアナログ回路で音量制御を行わないようにすれば、製造コストをさらに削減させることができるが、この方法では、Ｄ／Ａ変換器１４ａからの出力が、後段のアナログ回路の最大ゲインで出力されることになり、Ｓ／Ｎ比が非常に悪化するため、望ましくない。
【図面の簡単な説明】
【００４９】
【図１】本発明の一実施の形態に係る電子楽器の概略構成を示すブロック図である。
【図２】図１の電子楽器に含まれるデジタル楽音信号回路およびサウンドシステムの詳細な構成を示すブロック図である。
【図３】図１の電子楽器、特にＣＰＵが実行する制御処理の手順を示すフローチャートである。
【図４】従来の電子楽器の一部構成、具体的には、デジタル楽音信号回路およびサウンドシステムを示すブロック図である。
【符号の説明】
【００５０】
４  検出回路（検出手段），５  ＣＰＵ（設定手段、選択手段、検出手段、パラメータ設定手段、音量値設定手段），１３  デジタル楽音信号回路（デジタル信号処理手段），１４ａ  Ｄ／Ａ変換器（第１のＤ／Ａ変換器），１４ｂ  プリアンプ（アナログ音量制御回路），１４ｃ  ボリューム（操作子），１４ｍ  Ｄ／Ａ変換器（第２のＤ／Ａ変換器）
【図１】
2006267495.tif 000003
【図２】
2006267495.tif 000004
【図３】
2006267495.tif 000005
【図４】
2006267495.tif 000006